(57)【要約】【課題】本発明は電源装置において、入力端子側からの高調波の放出を抑制することを目的とするものである。【解決手段】そしてこの目的を達成するために本発明は、整流器６と昇降圧手段７の間に１次電圧検出回路１５を設け、その１次電圧検出回路１５により、制御回路１０におけるパルス幅制御回路１４を制御するものであり、入力電流波形が入力電圧波形と同様に正弦波状となるので、入力端子側からの高調波が抑制されることになる。【選択図】図１
2006187074.tif 000002
【特許請求の範囲】
【請求項１】
入力端子にノイズフィルタ、整流器、昇降圧手段、出力端子を順に接続し、前記昇降圧手段に接続したスイッチング素子を制御回路で開閉制御する電源装置において、前記整流器と昇降圧手段の間に１次電圧検出回路を設け、この１次電圧検出回路により、前記制御回路内におけるパルス幅制御回路を制御する電源装置。
【請求項２】
１次電圧検出回路は、整流器に並列接続した少なくとも２個の抵抗の直列体と、これら複数の抵抗間にその検出端子を接続した制御素子と、この制御素子の入力端子に接続した基準電源とにより構成し、前記制御素子の出力端子を制御回路のパルス幅制御回路に接続した請求項１に記載の電源装置。
【請求項３】
制御素子はトランジスタにより構成し、そのベースを検出端子、エミッタを入力端子、コレクタを出力端子とした請求項２に記載の電源装置。
【発明の詳細な説明】
【技術分野】
【０００１】
本発明は各種電子機器に活用される電源装置に関するものである。
【背景技術】
【０００２】
従来のこの種電源装置の構成は、以下のような構成となっていた。すなわち入力端子にノイズフィルタ、整流器、昇降圧手段、出力端子を順に接続し、前記昇降圧手段に接続したスイッチング素子を制御回路で開閉制御することにより、出力端子に一定の電圧が供給される構成としていた。
【０００３】
なお、この出願の発明に関する先行技術文献情報としては、例えば、特許文献１が知られている。
【特許文献１】特開２００２−３００７８０号公報
【発明の開示】
【発明が解決しようとする課題】
【０００４】
上記従来例において最も問題となるのは、入力端子側から高調波が放出されてしまうということにあった。すなわち図３はその状態を説明するためのものであって、図３において１は整流器の出力電圧となっている。この出力電圧に見られるように、整流器からの出力は脈流となっており、その両端すなわち電圧が低い部分においては、符号２で示すようにスイッチング素子の閉制時間を長くすることにより出力端子における電圧が安定化するような動作が行われる。しかし、ここで問題となるのはスイッチング素子の開閉時間を電圧１の低い時に行うと、３で示すように整流器に流れる入力電流は電圧１の低い状態において大きくなる状態となる。すなわちこの図３の３で示す如く入力電流が電圧１とは大きく異なる波形となってしまうことで、入力端子から放出される高調波も大きくなってしまうものであった。
【０００５】
そこで、本発明は入力端子側から放出される高調波成分を抑制することを目的とするものである。
【課題を解決するための手段】
【０００６】
そしてこの目的を達成するために本発明は、従来の電源装置の整流器と昇降圧手段の間に１次電圧検出回路を設け、この１次電圧検出回路により、前記制御回路内におけるパルス幅制御回路を制御する構成としたものである。すなわち整流回路の出力電圧において、その電圧が低い状態の時には、スイッチング素子の開閉時間を従来に比べて短くすることにより、この場合に大きな入力電流が発生しないようにすることにより、この入力電流が電圧波形と同様正弦波状となるので、高調波成分が抑制されるものである。
【発明の効果】
【０００７】
以上のように本発明は、整流器と昇降圧手段の間に１次電圧検出回路を接続し、その１次電圧検出回路によって、制御回路内におけるパルス幅制御回路の制御を行うようにしたので、入力電流波形が入力電圧波形と同様に正弦波状となるので、入力端子側からの高調波が抑制されることになる。
【発明を実施するための最良の形態】
【０００８】
本発明の請求項１に記載の発明は入力端子にノイズフィルタ、整流器、昇降圧手段、出力端子を順に接続し、前記昇降圧手段に接続したスイッチング素子を制御回路で開閉制御する電源装置において、前記整流器と昇降圧手段の間に１次電圧検出回路を設け、この１次電圧検出回路により、前記制御回路内におけるパルス幅制御回路を制御する電源装置であって、その電源装置によれば、入力電流波形が電圧波形と同様の正弦波状となることによって、高調波成分を抑制することができる。
【０００９】
本発明の請求項２に記載の発明は、１次電圧検出回路は、整流器に並列接続した少なくとも２個の抵抗の直列体と、これら複数の抵抗間にその検出端子を接続した制御素子と、この制御素子の入力端子に接続した基準電源とにより構成し、前記制御素子の出力端子を制御回路のパルス幅制御回路に接続した請求項１に記載の電源装置であって、１次電圧検出回路として複数の抵抗の直列体と、制御素子と、基準電源によって、構成が容易であり、動作に対する信頼性が高いものとすることができる。
【００１０】
本発明の請求項３に記載の発明は、制御素子はトランジスタにより構成し、そのベースを検出端子、エミッタを入力端子、コレクタを出力端子とした請求項２に記載の電源装置であって、制御素子をトランジスタによって構成することにより、その構成が極めてシンプルで、信頼性が高いものとすることができる。
【００１１】
以下本発明の一実施形態を添付図面にしたがって説明する。
【００１２】
図１において４は入力端子で、この入力端子にはノイズフィルタ５、整流器６、昇降圧回路７、出力端子８が順に接続されている。整流器６は全波整流回路となっている。また、昇降圧回路７は本実施形態においては、トランスによって構成されており、その１次巻線７Ａが整流器６に接続されている。また、この１次巻線７Ａには、スイッチング素子９が接続されており、このスイッチング素子９の動作は制御回路１０によって行われるようになっている。また２次巻線７Ｂには平滑回路１１が接続され、この平滑回路１１と出力端子８の間からは２次側への電圧が検出され、制御回路１０へと伝達されるようになっている。さて、制御回路１０は２次電圧検出回路１２と電流検出回路１３とパルス幅制御回路１４によって構成されている。
【００１３】
さて、以上の構成において、本実施形態において最も特徴とするところについて説明すると、本実施形態においては、整流器６と昇降圧手段７との間に１次電圧検出回路１５を設けたことである。この１次電圧検出回路１５は、抵抗１６，１７の直列体とこれら抵抗１６，１７の間にそのベースを接続したトランジスタ１８と、このトランジスタ１８のエミッタに抵抗１９を介して接続した基準電源２０とにより構成され、このトランジスタ１８のコレクタが制御回路１０のパルス幅制御回路１４に接続されている。なお、この１次電圧検出回路１５においてトランジスタ１８は制御素子として用いたものであって、ベース部分が検出端子、エミッタ部分が入力端子、コレクタが出力端子となっている。
【００１４】
さて、以上の構成においてこの説明を行うと、出力端子８において一定の電圧を供給するために制御回路１０の２次電圧検出回路１２は、出力端子８の電圧を検出し、その電圧によりパルス幅制御回路１４を介して、スイッチング素子９を開閉し、それによって出力端子８の出力が安定したものとなるようになっている。また、このパルス幅制御にはスイッチング素子９に接続した電流検出回路１３からの情報も取り入れられてパルス幅制御が行われるようになっている。この部分は従来から行われていることである。
【００１５】
さて、本実施形態において最も特徴となる１次電圧検出回路１５について説明を行うと、整流器６の出力電圧が図２における２１となる。このように出力電圧２１は、交流を全波整流した整流波形となっている。この図２において、２２はスイッチング素子９に出力されるパルス幅制御回路１４の出力を示している。この図２における２２の波形は従来の図３と比べても明らかなように、出力電圧２１の両端側においては小さなものとなっている。すなわちこのようにすることによって、入力端子４部分の入力電流は図２における２３のように正弦波状となるようになっている。このようにするために具体的に、抵抗１６，１７で整流器の出力電圧２１を検出し、この電圧を基準電源２０の電圧と、トランジスタ１８で比較し、その比較結果に基づいてパルス幅制御を行う。これは、抵抗１６，１７で整流器の出力電圧２１を検出し、この電圧より基準電源２０の電圧が高い、すなわち入力端子４の電圧が低い時にはトランジスタ１８が動作し、基準電源２０から抵抗１９、トランジスタ１８を介して電流がパルス幅制御回路に流れる、それによってパルス幅を小さくするものである。
【００１６】
なお、上記実施形態においては昇降圧手段７としてはトランスを用いたが、これに限ることなく、この部分はチョークコイルを用いて構成することもできる。
【産業上の利用可能性】
【００１７】
以上のように本発明は、整流器と昇降圧手段の間に１次電圧検出回路を接続し、その１次電圧検出回路によって、制御回路内におけるパルス幅制御回路の制御を行うようにしたので、入力電流波形が入力電圧波形と同様に正弦波状となるので、入力端子側からの高調波が抑制されることになる。
【図面の簡単な説明】
【００１８】
【図１】本発明の一実施形態の回路図
【図２】動作説明図
【図３】従来例の動作説明図
【符号の説明】
【００１９】
１  入力電圧波形
２  スイッチング電流波形
３  入力電流波形
４  入力端子
５  ノイズフィルタ
６  整流器
７  昇降圧回路
７Ａ  トランス１次巻線
７Ｂ  トランス２次巻線
８  出力端子
９  スイッチング素子
１０  制御回路
１１  平滑回路
１２  ２次電圧検出回路
１３  電流検出回路
１４  パルス幅制御回路
１５  １次電圧検出回路
１６  抵抗
１７  抵抗
１８  トランジスタ
１９  抵抗
２０  基準電源
２１  入力電圧波形
２２  スイッチング電流波形
２３  入力電流波形
【図１】
2006187074.tif 000003
【図２】
2006187074.tif 000004
【図３】
2006187074.tif 000005